(57)【要約】【課題】  土留壁の平坦前面に丸太嵌合部を設けることなく、土留壁の平坦前面の略全面に簡単に且つ強固に加工丸太材を配設固定することができる土留用コンクリートブロックを提供すること。【解決手段】  土留壁１の平坦前面１Ａに丸太嵌合用凹部などを設けることなく、沿設平坦面２Ａが加工形成された多数の加工丸太材２を、この沿設平坦面２Ａを土留壁１の平坦前面１Ａに当接させてこの平坦前面１Ａの略全面を覆うように並設配設し、この多数並設配設した各加工丸太材２の前側面に、この各加工丸太材２の長さ方向と直交する方向に配設した加工丸太材２と同構造の押え用丸太材３の沿設平坦面３Ａを当接し、この押え用丸太材３と前記加工丸太材２とに固定具４を貫通させてこの固定具４により押え用丸太材３と加工丸太材２とを土留壁１の平坦前面１Ａに固定する。【選択図】      図１
2006125113.tif 000002
【特許請求の範囲】
【請求項１】
土留壁の平坦前面に丸太嵌合用凹部などを設けることなく、沿設平坦面が加工形成された多数の加工丸太材を、この沿設平坦面を土留壁の平坦前面に当接させてこの平坦前面の略全面を覆うように並設配設し、この多数並設配設した各加工丸太材の前側面に、この各加工丸太材の長さ方向と直交する方向に配設した加工丸太材と同構造の押え用丸太材の沿設平坦面を当接し、この押え用丸太材と前記加工丸太材とに固定具を貫通させてこの固定具により押え用丸太材と加工丸太材とを土留壁の平坦前面に固定したことを特徴とする土留用コンクリートブロック。
【請求項２】
前記加工丸太材には、前記沿設平坦面の反対側に押え込み用平坦面を形成し、前記土留壁の平坦前面に多数並設配設した各加工丸太材の押え込み用平坦面に、この各加工丸太材の長さ方向と直交する方向に配設した前記押え用丸太材の前記沿設平坦面を面接当接する構成としたことを特徴とする請求項１記載の土留用コンクリートブロック。
【請求項３】
前記加工丸太材には、前記沿設平坦面と略直交する方向に面方向を有する並設用平坦面を形成し、前記土留壁の平坦前面に多数並設配設した各加工丸太材は、この並設用平坦面同士を面接当接する構成としたことを特徴とする請求項１，２のいずれか１項に記載の土留用コンクリートブロック。
【請求項４】
前記土留壁の平坦前面に多数並設配設した前記各加工丸太材の少なくとも両端位置に存する加工丸太材の前側面に、この各加工丸太材の長さ方向と直交する方向に配設した前記押え用丸太材の前記沿設平坦面を当接し、この押え用丸太材と加工丸太材とに固定具を貫通させてこの固定具により押え用丸太材と加工丸太材とを土留壁の平坦前面に固定したことを特徴とする請求項１〜３のいずれか１項に記載の土留用コンクリートブロック。
【発明の詳細な説明】
【技術分野】
【０００１】
本発明は、土留用コンクリートブロックに関するものである。
【背景技術】
【０００２】
出願人は、土留用コンクリートブロックの土留壁に丸太材を配設固定した特許第３１１３２２０号を確保している。
【０００３】
この特許文献１を更に説明すると、土留ブロック体の土留壁に丸太嵌合部を設け、この丸太嵌合部に丸太を上下多段に横架し、この丸太を土留壁に沿設状態に固定する固定金具を土留壁に配設した構成である。
【０００４】
そして、この特許文献１によれば、土壁面に沿設する土留ブロック体の土留壁の丸太嵌合部に補強用丸太を上下多段に横架固定したから、従来までは不要廃材として処理されていた土留擁壁形成に際して伐採する丸太材を土留ブロック体の補強材として使用することができ、これにより廃棄する無駄と廃棄に要する余計な作業を無くすると共に、土留用コンクリートブロック自体を補強しながら同時に丸太材による自然感も合わせ持つ極めて体裁が良好で実用性にも秀れた土留用コンクリートブロックを提供できるという作用・効果を奏するものである。
【０００５】
【特許文献１】特許第３１１３２２０号公報
【発明の開示】
【発明が解決しようとする課題】
【０００６】
本発明は、上記特許文献１の改良出願に係るもので、土留壁の平坦前面に丸太嵌合部を設けることなく、土留壁の平坦前面の略全面に簡単且つ強固に加工丸太材を配設固定することができる土留用コンクリートブロックを提供するものである。
【課題を解決するための手段】
【０００７】
添付図面を参照して本発明の要旨を説明する。
【０００８】
土留壁１の平坦前面１Ａに丸太嵌合用凹部などを設けることなく、沿設平坦面２Ａが加工形成された多数の加工丸太材２を、この沿設平坦面２Ａを土留壁１の平坦前面１Ａに当接させてこの平坦前面１Ａの略全面を覆うように並設配設し、この多数並設配設した各加工丸太材２の前側面に、この各加工丸太材２の長さ方向と直交する方向に配設した加工丸太材２と同構造の押え用丸太材３の沿設平坦面３Ａを当接し、この押え用丸太材３と前記加工丸太材２とに固定具４を貫通させてこの固定具４により押え用丸太材３と加工丸太材２とを土留壁１の平坦前面１Ａに固定したことを特徴とする土留用コンクリートブロックに係るものである。
【０００９】
また、前記加工丸太材２には、前記沿設平坦面２Ａの反対側に押え込み用平坦面２Ｂを形成し、前記土留壁１の平坦前面１Ａに多数並設配設した各加工丸太材２の押え込み用平坦面２Ｂに、この各加工丸太材２の長さ方向と直交する方向に配設した前記押え用丸太材３の前記沿設平坦面３Ａを面接当接する構成としたことを特徴とする請求項１記載の土留用コンクリートブロックに係るものである。
【００１０】
また、前記加工丸太材２には、前記沿設平坦面２Ａと略直交する方向に面方向を有する並設用平坦面２Ｃを形成し、前記土留壁１の平坦前面１Ａに多数並設配設した各加工丸太材２は、この並設用平坦面２Ｃ同士を面接当接する構成としたことを特徴とする請求項１，２のいずれか１項に記載の土留用コンクリートブロックに係るものである。
【００１１】
また、前記土留壁１の平坦前面１Ａに多数並設配設した前記各加工丸太材２の少なくとも両端位置に存する加工丸太材２の前側面に、この各加工丸太材２の長さ方向と直交する方向に配設した前記押え用丸太材３の前記沿設平坦面３Ａを当接し、この押え用丸太材３と加工丸太材２とに固定具４を貫通させてこの固定具４により押え用丸太材３と加工丸太材２とを土留壁１の平坦前面１Ａに固定したことを特徴とする請求項１〜３のいずれか１項に記載の土留用コンクリートブロックに係るものである。
【発明の効果】
【００１２】
本発明は上述のように構成したから、土留壁の平坦前面の略全面に丸太材による良好な景観が表出する体裁良好なコンクリートブロックとなり、土留壁の平坦前面に丸太嵌合用凹部などを設けない分、土留用コンクリートブロックは通常の汎用タイプの擁壁ブロックで良いため量産性に秀れ、また、従来までは不要廃材として処理されていた土留擁壁形成に際して伐採する丸太材を利用するなどして、この丸太材に沿設平坦面を形成するだけで加工丸太材を簡易に構成できると共に、押え用丸太材も加工丸太材と同構造としたため、別個に異なる構造の押え用丸太材を用意する必要がなく、加工用丸太材を多数用意することでこの加工用丸太材を押え用丸太材と共用できるので、簡易に設計実現可能となり、しかも、加工丸太材と押え用丸太材とに貫通させた固定具によりこの加工丸太材と押え用丸太材を土留壁の平坦前面に固定するから、加工丸太材と押え用丸太材の固定強度が高く、商品性に秀れると共に、この加工丸太材と押え用丸太材によるコンクリートブロックの補強作用が良好に発揮されることになるなど、極めて実用性に秀れた土留用コンクリートブロックとなる。
【００１３】
また、請求項２記載の発明においては、押え用丸太材の沿設平坦面が多数の加工丸太材の押え込み用平坦面に面接当接することで、押え用丸太材が一層安定的且つ確実に加工丸太材を押え込み固定することになるので、この各丸太材による一層秀れた補強作用が得られることになる秀れた構成の土留用コンクリートブロックとなる。
【００１４】
また、請求項３記載の発明においては、加工丸太材同志を安定的に並設配設できるために、この加工丸太材の並設作業を容易に行うことができ、しかも、並設配設する加工丸太材による補強作用が一層良好に発揮されると共に、ほとんど隙間なく加工丸太材が並設するので、体裁も一層良好となるなど、極めて実用性に秀れた構成の土留用コンクリートブロックとなる。
【００１５】
また、請求項４記載の発明においては、両端位置の押え用丸太材により並設配設する多数の加工丸太材を良好に押え込むことができるので、この加工丸太材，押え用丸太材による極めて秀れたコンクリートブロックの補強作用が得られる一層秀れた構成の土留用コンクリートブロックとなる。
【発明を実施するための最良の形態】
【００１６】
好適と考える本発明の実施形態（発明をどのように実施するか）を、図面に基づいて本発明の作用を示して簡単に説明する。
【００１７】
本発明は、土留壁１の平坦前面１Ａに丸太嵌合用凹部などを設けることなく、沿設平坦面２Ａが加工形成された多数の加工丸太材２を、この沿設平坦面２Ａを土留壁１の平坦前面１Ａに当接させてこの平坦前面１Ａの略全面を覆うように並設配設し、この多数並設配設した各加工丸太材２の前側面に、この各加工丸太材２の長さ方向と直交する方向に配設した加工丸太材２と同構造の押え用丸太材３の沿設平坦面３Ａを当接し、この押え用丸太材３と前記加工丸太材２とに固定具４を貫通させてこの固定具４により押え用丸太材３と加工丸太材２とを土留壁１の平坦前面１Ａに固定する。
【００１８】
加工丸太材２は、前記特許文献１と同様に、従来までは不要廃材として処理されていた土留擁壁形成に際して伐採する丸太材を利用するなどして、この丸太材に沿設平坦面２Ａを形成するだけで加工丸太材２を簡易に構成できる。
【００１９】
また、土留壁１の平坦前面１Ａの略全面を覆う加工丸太材２と押え用丸太材３とは、この加工丸太材２，押え用丸太材３を貫通させた固定具４により土留壁１の平坦前面１Ａに固定するので、この固定構造は簡易に設計実現可能で固定作業も容易に行えると共に、この固定構造による加工丸太材２，押え用丸太材３の固定強度は高く、高強度固定された加工丸太材２と押え用丸太材３とがコンクリートブロックＡ自体を良好に補強することになるので秀れた土留作用を発揮し、同時に土留壁１Ａの平坦前面１Ａの略前面に丸太材による自然感も合わせ持つ良好な景観が表出することになる。
【００２０】
しかも、土留壁１の平坦前面１Ａに丸太嵌合用凹部などを設けない分、土留用コンクリートブロックＡは通常の汎用タイプの擁壁ブロックで良いため量産性に秀れ、また、押え用丸太材３も加工丸太材２と同構造としたため、別個に異なる構造の押え用丸太材３を用意する必要がなく、加工用丸太材２を多数用意することでこの加工用丸太材２を押え用丸太材３と共用できるので、簡易に設計実現可能となるなど、極めて実用性に秀れた土留用コンクリートブロックとなる。
【００２１】
また、例えば、前記加工丸太材２には、前記沿設平坦面２Ａの反対側に押え込み用平坦面２Ｂを形成し、前記土留壁１の平坦前面１Ａに多数並設配設した各加工丸太材２の押え込み用平坦面２Ｂに、この各加工丸太材２の長さ方向と直交する方向に配設した前記押え用丸太材３の前記沿設平坦面３Ａを面接当接する構成とすれば、押え用丸太材３の沿設平坦面３Ａが多数の加工丸太材２の押え込み用平坦面２Ｂに面接当接することで、押え用丸太材３が一層確実に加工丸太材２を押え込み固定することになるので、この各丸太材２，３による一層秀れた補強作用が得られることになる。
【００２２】
また、例えば、前記加工丸太材２には、前記沿設平坦面２Ａと略直交する方向に面方向を有する並設用平坦面２Ｃを形成し、前記土留壁１の平坦前面１Ａに多数並設配設した各加工丸太材２は、この並設用平坦面２Ｃ同士を面接当接する構成とすれば、加工丸太材２同志を安定的に並設配設できるために、この加工丸太材２の並設作業を容易に行うことができ、しかも、並設配設する加工丸太材２による補強作用が一層良好に発揮されると共に、ほとんど隙間なく加工丸太材２が並設するので、体裁も一層良好となる。
【００２３】
また、例えば、前記土留壁１の平坦前面１Ａに多数並設配設した前記各加工丸太材２の少なくとも両端位置に存する加工丸太材２の前側面に、この各加工丸太材２の長さ方向と直交する方向に配設した前記押え用丸太材３の前記沿設平坦面３Ａを当接し、この押え用丸太材３と加工丸太材２とに固定具４を貫通させてこの固定具４により押え用丸太材３と加工丸太材２とを土留壁１の平坦前面１Ａに固定すれば、両端位置の押え用丸太材３により並設配設する多数の加工丸太材２を良好に押え込むことができるので、この加工丸太材２，押え用丸太材３による極めて秀れたコンクリートブロックＡの補強作用が得られる。
【実施例１】
【００２４】
本発明の具体的な実施例１について図１〜図６に基づいて説明する。
【００２５】
本実施例は、土留壁１の平坦前面１Ａに丸太嵌合用凹部などを設けることなく、沿設平坦面２Ａが加工形成された多数の加工丸太材２を、この沿設平坦面２Ａを土留壁１の平坦前面１Ａに当接させてこの平坦前面１Ａの略全面を覆うように並設配設し、この多数並設配設した各加工丸太材２の前側面に、この各加工丸太材２の長さ方向と直交する方向に配設した加工丸太材２と同構造の押え用丸太材３の沿設平坦面３Ａを当接し、この押え用丸太材３と前記加工丸太材２とに固定具４を貫通させてこの固定具４により押え用丸太材３と加工丸太材２とを土留壁１の平坦前面１Ａに固定したことを特徴とする土留用コンクリートブロックに係るものである。
【００２６】
本実施例の土留用コンクリートブロックＡは、土壁面１の前面が平坦面（平坦前面１Ａ）となるＬ形の擁壁ブロックを採用している。図中符号５は補強壁、８は排水口である。
【００２７】
加工丸太材２は、土留擁壁形成に際し伐採して不要となった丸太廃材を使用して構成するもので、この丸太廃材をその直径部分から半割形状（断面半円形状）にカットし、この加工により丸太材の直径部分に形成された平坦面を前記沿設平坦面２Ａとしている。
【００２８】
また、この沿設平坦面２Ａの反対側面を、この沿設平坦面２Ａと平行にカットし、この加工により形成された沿設平坦面２Ａの反対側の平坦面を前記押え込み用平坦面２Ｂとし、前記土留壁１の平坦前面１Ａに多数並設配設した各加工丸太材２の押え込み用平坦面２Ｂに、この各加工丸太材２の長さ方向と直交する方向に配設した前記押え用丸太材３の前記沿設平坦面３Ａを面接当接する構成としている。
【００２９】
また、この沿設平坦面２Ａの直径方向の両端部に位置する側面部を、沿設平坦面２Ａと略直交する方向に面方向を有するように平坦面状にカットし、この加工により形成された沿設平坦面２Ａと直交する方向の平坦面を前記並設用平坦面２Ｃとし、前記土留壁１の平坦前面１Ａに多数並設配設する各加工丸太材２は、この並設用平坦面２Ｃ同士を面接当接して並設する構成としている。
【００３０】
また、押え用丸太材３は、前記加工丸太材２と全く同一の構造のものを採用している。即ち、本実施例では、説明の都合上異なる符号を付しているが、押え用丸太材３と加工丸太材２とを共用している。
【００３１】
本実施例では、多数の加工丸太材２を前記平坦前面１Ａに上下多段に並設配設し、この多数の加工丸太材２の各両端位置に配設するようにして二本の前記押え用丸太材３を配設した構成としている。
【００３２】
また、本実施例の押え用丸太材３と加工丸太材２の前記平坦前面１Ａへの固定構造は、予め土留用コンクリートブロックＡ成形時に、平坦前面１Ａの四隅位置に前記固定具４としてのボルト４Ａをその螺子杆が前方へ突出するようにしてインサート成形し（図２参照。）、この平坦前面１Ａの四隅から突出する各ボルト４Ａに、平坦前面１Ａの上下位置に配設する各加工丸太材２の両端部に形成した固定孔２Ｄを挿通してこの加工丸太材２の沿設平坦面２Ａを平坦前面１Ａに面接当接し、この固定孔２Ｄから平坦前面１Ａの前方へ突出する各ボルト４Ａ先端に前記押え用丸太材３の両端部に形成した固定孔３Ｄを挿通して押え用丸太材３の沿設平坦面３Ａを加工丸太材２の押え込み用平坦面２Ｂに面接当接し、この各固定孔３Ｄから平坦前面１Ａの前方へ突出する各ボルト４Ａ先端に固定具４としてのナット４Ｂを螺着固定することで、押え用丸太材３と加工丸太材２とを固定具４により平坦前面１Ａに固定する構造としている（図３，図４参照。）。
【００３３】
尚、図５，図６は、固定具４としてのナット４Ｂを、その螺子孔が平坦前面１Ａ側に露出するようにして平坦前面１Ａにインサート成形し、この平坦前面１Ａの四隅のナット４Ｂに押え用丸太材３，加工丸太材２の両端部の固定孔３Ｄ，２Ｄに通した固定具４としてのボルト４Ａを螺着固定することで、押え用丸太材３と加工丸太材２とを固定具４により平坦前面１Ａに固定した場合（固定具４による固定構造の別例）を示している。
【００３４】
また、この別例のようにナット４Ｂをインサート成形する場合、このナット４Ｂに固定具４としての螺子杆を螺着し、この螺子杆に押え用丸太材３と加工丸太材２とを通した後、螺子杆の前方側突出端部にナットを螺着することで、押え用丸太材３と加工丸太材２とを平坦前面１Ａに固定する構造としても良い。
【００３５】
また、本実施例では、平坦前面１Ａの下部の小範囲を除いた略全面に加工丸太材２を上下多段に並設配設した場合を示している。
【００３６】
次に、本実施例の土留用コンクリートブロックＡの製造方法を説明する。
【００３７】
コンクリートブロックＡ成形時に、平坦前面１Ａの四隅位置に前記固定具４としてのボルト４Ａをその螺子杆が前方へ突出するようにしてインサート成形する（図２参照。）。
【００３８】
このコンクリートブロックＡの平坦前面１Ａの上下位置に一本ずつ加工丸太材２を横設配設し（図２参照。）、下側に配した加工丸太材２はその両端部に形成した固定孔２Ｄに下側左右のボルト４Ａを挿通して沿設平坦面２Ａを平坦前面１Ａ下部に面接当接し、上側に配した加工丸太材２はその両端部に形成した固定孔２Ｄに上側左右のボルト４Ａを挿通して沿設平坦面２Ａを平坦前面１Ａ上部に面接当接する（図３参照。）。
【００３９】
次いで、この上下の加工丸太材２の上から（平坦前面１Ａの前方向から）、この上下の加工丸太材２の両端部間に架け渡すようにして平坦前面１Ａの左右位置に一本ずつ押え用丸太材３を縦設配設し（図３参照。）、夫々の押え用丸太材３の両端部に形成した固定孔３Ｄに両側の上下のボルト４Ａを挿通してこの押え用丸太材３の沿設平坦面３Ａを上下の加工丸太材２の押え込み用平坦面２Ｂに面接当接する（図４参照。）。
【００４０】
次いで、この各固定孔３Ｄから平坦前面１Ａの前側に突出している各ボルト４Ａ先端にナット４Ｂを螺着固定することで、上下左右に方形状をなすように配設した二本の加工丸太材２と二本の押え用丸太材３とを平坦前面１Ａに固定する（図４参照。）。
【００４１】
次いで、この上下位置に固定された加工丸太材２間の隙間に、土留壁１の左右両側から、平坦前面１Ａと押え用丸太材２との空間を介し多数の加工丸太材２を挿入して横設配設し、各加工丸太材２は、その沿設平坦面２Ａを平坦前面１Ａに略面接当接させると共に、押え込み用平坦面２Ｂを押え用丸太材３の沿設平坦面３Ａに略面接当接させ、更に各加工丸太材２の左右両端部の位置を、先に上下位置に固定されている加工丸太材２の両端部の位置に合わせる（図４参照。）。
【００４２】
次いで、左右の押え用丸太材３の上から（平坦前面１Ａの前方向から）、この押え用丸太材３を貫通させて上下の加工丸太材２間に並設配設した各加工丸太材２の両端部に釘などの止着具６（釘）を打ち込みして押え用丸太材３に各加工丸太材２を固定し、平坦前面１Ａの略全面が丸太材によって覆われる本実施例の土留用コンクリートブロックが完成する（図１参照。）。図中符号３Ｅは押え用丸太材３に形成した釘６打ち込み用の止着孔である。
【実施例２】
【００４３】
本発明の具体的な実施例２について図７に基づいて説明する。
【００４４】
本実施例は、前記実施例１において、土壁面１の平坦前面１Ａの左右方向の中間の上下位置にもボルト４Ａをインサート成形し、横設状態にして上下多段に並設配設した多数の加工丸太材２の中間部をも押え込むようにこの各加工丸太材２の中間位置に押え用丸太材３を縦設配設固定した場合である。
【００４５】
このように構成した本実施例によれば、加工丸太材２及び押え用丸太材３の平坦前面１Ａへの固定強度が一層向上するので、製品の耐久寿命が長期化すると共に、この加工丸太材２，押え用丸太材３によるコンクリートブロックＡ（平坦前面１Ａ）の補強作用も一層向上することになる。
【００４６】
尚、この図７では、本実施例の設置（施工）状態を示している。図中符号７はコンクリートブロックＡを載置するための基礎である。
【実施例３】
【００４７】
本発明の具体的な実施例３について図８に基づいて説明する。
【００４８】
本実施例は、前記実施例１に対して、多数並設する加工丸太材２の並設方向を異ならせた場合である。
【００４９】
具体的には、加工丸太材２が土留壁１の左右方向に縦設状態で並設配設する構成とし、押え用丸太材３は、この各加工丸太材２の長さ方向と直交する方向、即ち横設状態で配設固定した場合である。
【実施例４】
【００５０】
本発明の具体的な実施例４について図９に基づいて説明する。
【００５１】
本実施例は、前記実施例２において、加工用丸太材２の形状を異ならせた場合である。
【００５２】
具体的には、丸太材を断面半割（半円）形状とせずに、断面略正八角形状に加工し、このうちの一面を沿設平坦面２Ａとし、この沿設平坦面２Ａの反対側面を押さえ込み用平坦面２Ｂとし、この沿設平坦面２Ａと押さえ込み用平坦面２Ｂの対向方向と直交する方向の対向二面を並設用平坦面２Ｃとした場合である。
【００５３】
尚、本発明は、実施例１〜４に限られるものではなく、各構成要件の具体的構成は適宜設計し得るものである。
【図面の簡単な説明】
【００５４】
【図１】実施例１（の完成状態）を示す斜視図である。
【図２】実施例１の、コンクリートブロックの平坦前面の上下位置に加工丸太材を横設配設しようとする状態を示す説明斜視図である。
【図３】図２の状態から、平坦前面の上下位置に加工丸太材を配設し、平坦前面の左右位置に押え用丸太材を縦設配設しようとする状態を示す説明斜視図である。
【図４】図３の状態から、平坦前面の左右位置に押え用丸太材を配設して固定（ナット止め）し、上下の加工丸太材間に上下多段に加工丸太材を挿入配設しようとする状態を示す説明斜視図である。
【図５】実施例１の丸太固定構造の別例を示す説明分解側面図である。
【図６】実施例１の丸太固定構造の別例による完成状態を示す説明側面図である。
【図７】実施例２の設置（施工）状態を示す説明斜視図である。
【図８】実施例３を示す斜視図である。
【図９】実施例４を示す斜視図である。
【符号の説明】
【００５５】
１  土留壁
１Ａ  平坦加工面
２  加工丸太材
２Ａ  沿設平坦面
２Ｂ  押え込み用平坦面
２Ｃ  並設用平坦面
３  押え用丸太材
３Ａ  沿設平坦面
４  固定具
【図１】
2006125113.tif 000003
【図２】
2006125113.tif 000004
【図３】
2006125113.tif 000005
【図４】
2006125113.tif 000006
【図５】
2006125113.tif 000007
【図６】
2006125113.tif 000008
【図７】
2006125113.tif 000009
【図８】
2006125113.tif 000010
【図９】
2006125113.tif 000011